(57)【要約】【課題】自然動物園等で走行する乗り合い自動車において、動物が餌を食べている様子を下面からも観察できるようにした乗り合い自動車を提供する。【解決手段】自動車本体１の天井部分６に給餌口７を設ける。自動車の天井部分には、給餌間隙１０をあけて網目構造に組み合わせた金属枠線１１が設けられ、この給餌間隙１０を給餌口７として車内から観客３は給餌具１９などで餌を天井の外部に差し出すことができる。【選択図】図５
2018158660.tif 000002
【特許請求の範囲】
【請求項１】
車内に観客を乗せる自動車本体の天井部分に、給餌口が設けられ、該天井部分の外部が車内から観察可能に形成されていることを特徴とする乗り合い自動車。
【請求項２】
上記天井部分は、中央部分に、動物の足が入り込まない間隙を有するエキスパンドメタルが張設されており、その側方部分には餌を車内から突き出すことができる給餌間隙を形成するよう金属枠線を張り渡し、この給餌間隙を給餌口とした請求項１に記載の乗り合い自動車。
【請求項３】
上記天井部分の内側には、上記天井部分の中央部分及び給餌口を除く側方部分に対応して透明性の保護板を設けている請求項２に記載の乗り合い自動車。
【請求項４】
上記天井部分の外部にはおとり餌の格納箱が設けられている請求項１〜３のいずれかに記載の乗り合い自動車。
【請求項５】
上記請求項１〜４のいずれかに記載の乗り合い自動車が走行する施設の観察場所には、動物が自動車の天井部分に飛び移ることが可能な高さの構造物が設けられていることを特徴とする施設。
【発明の詳細な説明】
【技術分野】
【０００１】
本発明は、動物の観察に好適に使用される乗り合い自動車及びそれが走行する施設に係るものである。
【背景技術】
【０００２】
自然動物園などの施設で、園内で放し飼いにした動物を、観客が車内に乗って観察するための乗り合い自動車が知られている(例えば特許文献１参照)。このような乗り合い自動車は、動物に餌を与えることができるようになっており、従来は車体の側面に設けた給餌口から給餌するようになっている。給餌口を開けて餌を与えると、動物は自動車の周囲によってくるが、従来の自動車では、自動車の側面側に動物が集まって単に餌を食べている様子を観察するだけで、変化に乏しく、自然の動物の動きを観察するのには不十分であった。
【先行技術文献】
【特許文献】
【０００３】
【特許文献１】意匠登録第５２４８３９号公報
【発明の概要】
【発明が解決しようとする課題】
【０００４】
本発明は、自然動物園等で使用される乗り合い自動車において、動物の変化に富んだ動きを観察できるようにした乗り合い自動車を提供することである。
【課題を解決するための手段】
【０００５】
本発明によれば、車内に観客を乗せる自動車本体の天井部分に給餌口が設けられ、該天井部分の外部が車内から観察可能に形成されていることを特徴とする乗り合い自動車が提供され、上記課題が解決される。
【０００６】
また、本発明によれば、上記天井部分には、給餌口となる給餌間隙を形成した網目構造に形成され、外部にはおとり餌の格納箱が設けられている上記乗り合い自動車が提供され、好ましくはこの自動車が走行する施設には、動物が自動車の天井に飛び移ることが可能な高さの構造物が設けられている施設が提供される。
【発明の効果】
【０００７】
本発明は上記のように構成され、車内に乗客を乗せる自動車本体の天井部分に、給餌口が設けられているから、天井に突き出されたり、置かれたりした餌を食べるために、動物は自動車の天井に上がらなければならない。この天井部分の外部は車内から観察可能に形成されているから、車内にいる観客は、動物が餌を食べている様子を、下から観察でき、動物の下腹部や顔、餌を食べるときの舌の動き、足の裏の肉球などを興味深く見ることができる。この際、おとり餌用の格納箱を天井の外部に設けておくと、動物は餌につられて天井に集まりやすくなり、一層確実に動物を下面から観察することができる。また、この自動車が走行する動物園等の施設に、動物が自動車の天井に飛び移ることが可能な高さに、木、岩場その他の構造物を設けておくと、動物はこの構造物に登って自動車の天井部分に容易に乗り移ることができ、一層興味をそそることができる。
【図面の簡単な説明】
【０００８】
【図１】本発明の一実施例を示す斜視図。
【図２】図１に示す自動車の天井部分の拡大横断面図。
【図３】おとり餌用の格納箱の斜視図。
【図４】おとり餌用の格納箱の取付け状態を示す説明図。
【図５】給餌状態を示す説明図。
【発明を実施するための形態】
【０００９】
本発明に係る乗り合い自動車は、通常の自動車と同様に、自動車本体１の車内に設けた運転席２の後方に、観客３が着座する座席４が設けられ、周囲には従来の自動車と同様に外部が観察できるように間隙を形成した側面ガード５を設けてあるが、ガラス板、プラスチック板等の透明性のある窓部材を設けることもできる。
【００１０】
上記自動車本体１の天井部分６には、給餌口７が設けられている。該給餌口７は種々に構成することができ、例えば、餌を入れた容器を車内から反転して車外に開放できるように構成することもできる。図に示す実施例では、該天井部分を構成する支持枠８の外面のほぼ中央部分に、動物の足が入り込まない間隙のあるエキスバンドメタル９を張設し、側方部分には餌を車内から突き出すことができる給餌間隙１０を形成するよう金属枠線１１を網目状に張り渡し、この給餌間隙１０を給餌口７として車内から外部に餌を差し出すことができるようにしている。
【００１１】
上記の構成により車内側から外部が観察可能であるが、動物１２の尿などの排泄物や塵埃が車内に入り込むおそれがあるので、実施例では上記支持枠８の内方にポリカーボネート、アクリルその他の透明性のある保護板１３を設けている。この保護板１３は一端を蝶番１４で支持枠８に固定し、他端を支持枠に設けたクリップ１５に係止して水平状態に広げてロックしたり、クリップやロックを外して下方に回動できるようにしてある。
【００１２】
上記のように天井部分の外部に餌を給餌することができるが、動物が慣れないときには、天井部分に寄り付かないおそれがある。そのような場合は、おとり餌用の格納箱１６を天井の外部に設けておくとよい。図示するものは、この格納箱１６の内箱１７を車内から操作して外箱１８から開放できるように構成しており、内箱１７の中に餌を入れて置き、動物が近付いてきたら、外箱１８から引き出すように格納箱を開けて餌で動物を天井部分に誘い込むことができる。
【００１３】
上記のように動物１２が天井部分６に乗れば車内から観察できるが、動物園等の施設では、自動車が走行する車道から天井までの高さがかなりあるから、ライオン、トラ、クマその他の動物が簡単に天井部分に上がれないことがある。このような場合は、動物の観察場所に、木２０、岩場２１その他の動物が登ることが可能な構造物を設置し、動物がこの構造物を足場として登ってから、自動車の天井部分６に飛び移れるようにするとよい。
【００１４】
上記の構成により車内の座席に座っている観客３は、自動車に近付いてきた動物１２が天井の外部に飛び移ったとき、餌を挟み等の給餌具１９でつまんで天井の給餌口７から差し出せば、動物が餌を食べる様子を下面から観察することができる。
【００１５】
上記自動車本体の側面ガード５の内側及び天井部分６と保護板１３の間には、丈夫な格子状の保護体２２を設けており、天井部分や側面ガードに動物の爪などが掛かった場合にも観客の安全を保つことができる。
【符号の説明】
【００１６】
１  自動車本体
３  観客
４  座席
５  側面ガード
６  天井部分
７  給餌口
９  エキスバンドメタル
１０  給餌間隙
１１  金属枠線
１３  保護板
１６  おとり餌用格納箱
１９  給餌具
【図１】
2018158660.tif 000003
【図２】
2018158660.tif 000004
【図３】
2018158660.tif 000005
【図４】
2018158660.tif 000006
【図５】
2018158660.tif 000007